(57)【要約】【課題】不必要な電力の消費をせず省電力化を実現したシート状のヒーターを提供すること。【解決手段】シート状ヒーター１０の中央部Ｍには発熱体を設けず、周縁部に沿った領域Ｂのみに発熱体であるＳＵＳ板２３を設けることによりシート状ヒーター１０のシート状ヒーターの省電力化と低コスト化を実現する。【選択図】      図４
2004221008.tif 000002
【特許請求の範囲】
【請求項１】
発熱体を有するシート状ヒーターであって、
前記シート状ヒーターの中央部に前記発熱体を配さない領域を設けることを特徴とするシート状ヒーター。
【請求項２】
前記シート状ヒーターの周縁部に沿った領域に、前記発熱体を配することを特徴とする請求項１に記載のシート状ヒーター。
【請求項３】
前記発熱体はシート状の絶縁物に覆われていることを特徴とする請求項１または２に記載のシート状ヒーター。
【請求項４】
前記発熱体はシート状の２枚の絶縁物の間に設けられ、
前記２枚の絶縁物は接合されることを特徴とする請求項１または２に記載のシート状ヒーター。
【請求項５】
前記発熱体は金属箔であり、電気が供給されることによって発熱することを特徴とする請求項１乃至４のいずれか１項に記載のシート状ヒーター。
【請求項６】
前記発熱体は網目状に織り込んだステンレス鋼繊維であることを特徴とする請求項１乃至４のいずれか１項に記載のシート状ヒーター。
【請求項７】
シートを支持するためのシート支持手段と、
前記シート支持手段に支持されたシートと当接しシートを給送するためのシート給送手段と、
前記シート給送手段が当接するシートの表面に接触する請求項１乃至６のいずれか１項に記載のシート状ヒーターと、を有すること特徴とするシート給送装置。
【請求項８】
前記シート支持手段に支持されている最上位のシートの上面に前記シート状ヒーターが載置されることを特徴とする請求項７に記載のシート給送装置。
【請求項９】
前記シート状ヒーターと前記シート支持手段に支持されたシートとが略同じ外形であることを特徴とする請求項７または８に記載のシート給送装置。
【請求項１０】
前記シート状ヒーターに接続され、前記シート給送手段によるシート給送方向への前記シート状ヒーターの移動を防止する固定手段を備えることを特徴とする請求項７乃至９のいずれか１項に記載のシート給送装置。
【請求項１１】
前記シート支持手段を有し装置本体に対して着脱自在な給紙カセットを備え、
前記給紙カセットを装置本体から取り出す際に、前記シート状ヒーターに電気を供給する電源に接続されている装置本体側のコネクタと前記シート状ヒーターに接続されている給紙カセット側のコネクタとが分離し、前記給紙カセットを装置本体に収納する際に、前記装置本体側のコネクタと前記給紙カセット側のコネクタとが結合し前記電源から前記シート状ヒーターに電気を供給することを特徴とする請求項７乃至１０のいずれか１項に記載のシート給送装置。
【請求項１２】
請求項７乃至１１のいずれか１項に記載のシート給送装置と、
前記シート給送装置によって給送されたシートに画像を形成する画像形成部と、を有することを特徴とする画像形成装置。
【請求項１３】
表面に潜像が形成される感光ドラムと前記潜像を可視化するためにトナーを前記感光ドラムに供給するための現像器とを具備してシートに画像を形成する画像形成部を有し、前記感光ドラムの内面に請求項１乃至６のいずれか１項に記載のシート状ヒーターが取り付けられ、前記感光ドラムが前記シート状ヒーターによって暖められることを特徴とする画像形成装置。
【発明の詳細な説明】
【０００１】
【発明の属する技術分野】
本発明は、ヒーターおよびこれを備えたシート給送装置、画像形成装置に関する。
【０００２】
【従来の技術】
従来、複写機やプリンター等の画像形成装置には様々なヒーターが設けられていた。画像形成装置に設けられるヒーターとして、例えば給紙カセットに支持されたシートの重送を防止するためにシートを除湿するヒーターがあった（例えば、特許文献１参照）。また、感光ドラムの温度を調節するために用いられる感光体用ヒーターがあった（例えば、特許文献２参照）。
【０００３】
【特許文献１】
特開平７−１５７１２０号公報
【特許文献２】
特開平５―２２４４９６号公報
【０００４】
【発明が解決しようとする課題】
しかしながら、画像形成装置には省電力化および低コスト化が要求されており上記の要求は近年ますます強まっている。
【０００５】
本発明は、上記問題点に鑑みてなされたもので、不必要な電力の消費をせず省電力化を実現した、画像形成装置に用いられるヒーターを提供することを目的とする。
【０００６】
【課題を解決するための手段】
上記目的を達成するための本発明の代表的な構成は、発熱体を有するシート状ヒーターであって、前記シート状ヒーターの中央部に前記発熱体を配さない領域を設けることを特徴とするシート状ヒーターである。
【０００７】
また、本発明は、シートを支持するためのシート支持手段と、前記シート支持手段に支持されたシートと当接しシートを給送するためのシート給送手段と、を備え、前記シート給送手段が当接するシートの表面に前記シート状ヒーターが接触することを特徴とするシート給送装置である。
【０００８】
また、本発明は、表面に潜像が形成される感光ドラムと前記潜像を可視化するためにトナーを前記感光ドラムに供給するための現像器とを具備してシートに画像を形成する画像形成部を有し、前記感光ドラムの内面に前記シート状ヒーターが取り付けられ、前記感光ドラムが前記シート状ヒーターによって暖められることを特徴とする画像形成装置である。
【０００９】
【発明の実施の形態】
以下に画像形成装置に設けられる本発明のヒーターの実施の形態を述べる。
【００１０】
（第１の実施の形態）
本発明の第１の実施の形態として、給紙カセットに支持されたシートを除湿するためのヒーターに本発明を適用した１例を説明する。
【００１１】
まず、図１の画像形成装置の模式的断面図を用いてシート給送装置を備えた画像形成装置の全体の構成を説明する。
【００１２】
図１において、１００は複写機本体であり、複写機本体１００の上部には原稿を自動的に送るための原稿自動送り装置１０１が配置されている。また、複写機本体１００の上面には原稿Ｄを載せる原稿台ガラス１０２ａが設けられており、複写機本体１００の上部に配置されているリーダーユニット１０２によって、原稿自動送り装置１０１により原稿台ガラス１０２ａ上に送られてくる原稿Ｄの画像情報を読み取るように構成されている。
【００１３】
１０３は、像担持体としての感光ドラム１０４の表面上の所定位置に、リーダーユニット１０２で読み取った原稿Ｄの画像情報、あるいはネットワークなどで送られてくるその他の画像情報を有するレーザー光を照射する光学ユニットである。
【００１４】
この光学ユニット１０３は、リーダーユニット１０２によって得られた画像情報、あるいはその他の画像情報を、不図示の画像処理装置を介して処理、制御された電気信号により明滅するレーザー光源を備えている。また、このレーザー光源から感光ドラム１０４までレーザー光を導く光路上には、複数の光学部品、すなわち、レーザー光を反射するための複数のミラーや、光学的に拡大や補正を行うための複数の光学部材（各種レンズ等）などが備えられている（図示せず）。レーザー光源からのレーザー光が感光ドラム１０４に照射されることによって画像情報に応じた静電潜像が感光ドラム１０４の表面に形成される。
【００１５】
次に、シートに画像を形成する画像形成部を説明すると、感光ドラム１０４の周辺には、感光ドラム１０４上の静電潜像を可視化するためにトナーを感光ドラム１０４に供給するための現像器１０５、トナー像をシートＰに転写してシートＰが感光ドラム１０４に静電吸着しているのを剥がすための分離部を有する転写・分離帯装置１０６、感光ドラム１０４上におけるシートＰに転写されずに残ったトナーを除去するためのクリーニング装置１０７、感光ドラム１０４上の残留潜像を消すための前露光装置１０８などが配置されている。
【００１６】
感光ドラム１０４の上流側には、シートの斜行を補正し、さらに、感光ドラム１０４の潜像とシートＰとの位置を合わせるためにシート送りタイミングを決めるレジストローラ１１８が配置されている。なお、正確なタイミング及びシートの幅方向の位置ズレの修正は後述するシート位置検出用センサ１の検出に基づいて行なわれる。
【００１７】
また、感光ドラム１０４から、トナー像を転写したシートＰを加熱加圧して定着させるための定着装置１１０に搬送するための搬送装置１０９が配置されている。また、定着装置１１０から出てきたシートＰを、機外の排紙トレイ１１２に排出ローラ１１３で排出するか、両面・多重のコピーを取るために感光ドラム１０４に再度シートＰを再給送するための再給送装置１１４に搬送するかを切換えるための、排出反転装置１１１が設けられている。
【００１８】
複写機本体１００の下側には、画像形成部に供給するシートを各サイズごとに支持してストックしておくための給紙カセット１１５が設けられている。そして、各給紙カセット１１５に支持されているシートを一枚ずつ分離して縦パス搬送部１１７を介して画像形成部に向けて送り出される。
【００１９】
次に図２乃至図７により本発明のシート状ヒーターが設けられたシート給送装置について説明する。
【００２０】
図２は、本発明に係るシート給送装置の断面図である。給紙カセット１１５は装置本体１００Ａ操作側（図１において紙面と垂直方向）から着脱自在に設けられている。この給紙カセット１１５は、回動中心７を中心として回動自在に設けられ、シート支持手段としてシートを支持する底板６と、底板６上に支持された積載シート２の側面に当接し積載シート２の給送方向と直交する方向の位置を規制する一対のサイド規制板３と、給送方向と逆方向へのシートの位置を規制する後端規制板４と、シートの給送方向の位置を規制する先端規制板５と、回動中心７を中心として底板６をリフトアップさせるリフトアップ機構８と、を備えている。そして、シート給送装置は、給紙カセット１１５と、底板６に支持された積載シート２を給送するためのシート給送手段としてのピックアップローラ９と、ピックアップローラ９によって繰り出されたシートを搬送するための搬送ローラ１１と、搬送ローラ１１に圧接されシート給送方向と反対方向に回転可能な分離手段としての分離ローラ１２とから構成されている。
【００２１】
リフトアップ機構８によって底板６に支持されている積載シート２の最上位のシートが所定位置まで上昇され、ピックアップローラ９と積載シート２の最上位のシートとが当接してピックアップローラ９によってシートが給送される。
【００２２】
積載シート２のうちの最上位のシートの上面、即ちピックアップローラ９が当接するシートの表面には、吸湿した状態のシートを除湿することが可能なシート状ヒーター１０が直接接触した状態で載せられている。
【００２３】
図３は、シート状ヒーター１０が給送されるのを防ぐ構成の一例を示した図であり、ピックアップローラ９が積載シート２の表面に当接する部分に対応するようにシート状ヒーター１０に切り込み部１０ａが設けられている。そして、ピックアップローラ９に当接されて給送されるシートの表面における、ピックアップローラ９がシートに当接する部分には、シート状ヒーター１０が接触しないようにシート状のヒーター１０を積載シート２の最上位のシートの上面に載置しているために、ピックアップローラ９によってシート状ヒーター１０が給送されることがない。
【００２４】
図４は、本発明のシート状ヒーター１０の構成を説明する図である。シート状ヒーター１０は、２枚のポリイミド樹脂シート３１と、発熱体であるＳＵＳ板３２とによって構成されている。そして、２枚のポリイミド樹脂シート３１の間にＳＵＳ板３２が設けられ、２枚のポリイミド樹脂シート３１の対向する面が接着されている。ＳＵＳ板３２は非常に薄くできており、図４に示したようにポリイミド樹脂シート３１の周縁部に沿ってはりめぐらされている。また、シート状ヒーター１０と底板６に支持された積載シート２とは略同じ外形である。
【００２５】
図４における点線で示した領域はＳＵＳ板３２が設けられていない無発熱領域であり、シート状ヒーター１０の中央部Ｍに設けられている。即ち、シート状ヒーター１０は、周縁部に沿って発熱体であるＳＵＳ板３２が配された発熱領域を有し、中央部に発熱体を配さない無発熱領域Ｍを有している。なお、ここでシート状ヒーター１０の周縁部に沿った発熱領域とは図４における二点鎖線で囲まれた領域Ｂである。
【００２６】
また、シート状ヒーター１０のポリイミド樹脂シート３１には、ＳＵＳ板３２に電気を供給するための穴３３が形成されている。装置本体の電源に接続されたコードがポリイミド樹脂シート３１に形成された穴３３を通ってＳＵＳ板３２に接続されている。装置本体の電源からＳＵＳ板３２に電気が供給されることによりＳＵＳ板３２は発熱する。
【００２７】
画像形成装置の市場においてカラー化の需要が増え、チラシやポスターなどに用いられるアート紙やコート紙といった平滑性の高いシートを複写またはプリントさせたいという要望が高まりつつある。このようなシートは、普通紙などと異なり、隣り合うシート同士が吸着しやすく特に高湿環境下においてシート束の最上紙及びシート束側端側から吸湿してシート間の吸着力が増大するため、従来の分離パッド方式やリタード分離方式などの摩擦分離方式ではシートを確実に１枚ずつに分離できないという問題があった。
【００２８】
しかしながら、本実施の形態では、シート状ヒーター１０を積載シート２に直接接触させているために、コート紙やアート紙などの吸湿して吸着しやすいシートであってもＳＵＳ板３２の熱によって除湿されるために吸着力が低下して容易に分離される状態となる。
【００２９】
さらに、上記したようにシート状ヒーター１０の中央部Ｍに無発熱領域を設けることによって、余分な電力を消費せず少ない電力消費で積載シート２を除湿することが可能になる。したがって、シート状ヒーターの全面を発熱するものと比較して省電力化を達成できる。また、無発熱領域にＳＵＳ板を設けないためにシート状ヒーターの全面にＳＵＳ板を設けたものと比較して低コストな装置を提供できる。
【００３０】
また、シート状ヒーター１０と積載シート２とは略同じ外形であるため、積載シート２の外周辺が暖められるので積載シート２の端部からの吸湿を防ぐことができる。さらに、積載シート２の周縁部はシート状ヒーター１０の発熱体であるＳＵＳ板３２によって暖められているため、積載シート２の側部から吸湿しても発熱しているＳＵＳ板３２によって除湿される。したがって積載シート２が吸着しやすいシートであっても容易に分離される。
【００３１】
本発明に係わるシート給送装置において、底板６に支持されている積載シート２の最上位のシートはシート状ヒーター１０と接触するが、最上位のシートの中央部はシート状ヒーター１０の無発熱領域と接触するために温められることはない。しかしながらシート状ヒーター１０の無発熱領域には防湿効果を有しているポリイミド樹脂シート３１が設けられているために、最上位のシートが中央部から吸湿することは無い。
【００３２】
図５（ａ）はサイド規制板３の構成を示す正面図、図５（ｂ）はサイド規制板３の側面図、図６は図５での断面Ａにおけるサイド規制板３の断面図である。サイド規制板３は、積載シート２の側面からの吸湿を防止するために積載シート２の側面を覆うだけの幅と高さがあり、シート状のヒーター１０を固定するための導電性材料を有する固定手段としてのクリップ４１を備えている。そして、図６に示すようにサイド規制板３は、クリップ４１の突部４１ｂが入り込みクリップ４１を上下に案内するために上下方向に形成された溝３ａと、クリップ４１の突部４１ｂと当接しクリップ４１の移動を規制するリブ部３ｂと、クリップ４１と後述する電源とを接続するためのコードをサイド規制板３に通すための貫通孔４３とが設けられている。なお、ここで固定手段による固定とはシート状のヒーター１０のシート給送方向への移動を防止することを言う。
【００３３】
クリップ４１のシート状のヒーター１０との接合面４１ａは粘着性を有しており、クリップ４１とシート状のヒーター１０とは着脱可能に接続される。クリップ４１の接合面４１ａとシート状のヒーター１０は、給送されるシートに連れられてシート状のヒーター１０が移動しないように接合面４１ａの粘着力により接続される。クリップ４１の接合面４１ａはシート状のヒーター１０のポリイミド樹脂シート３１に開けられた穴３３においてシート状のヒーター１０と接続されている。そして、一端が電源に他端がクリップ４１に接続されたコードとクリップ４１とを介して、シート状ヒーター１０のＳＵＳ板３２に電源から電気が供給される。
【００３４】
サイド規制板３には溝３ａが上下方向に形成されているためにクリップ４１はサイド規制板３の溝３ａに沿って上下方向に移動することができる。よってクリップ４１と接続されたシート状のヒーター１０もサイド規制板３に沿って上下方向に移動可能である。しかしながら、サイド規制板３のリブ部３ｂがクリップ４１の突部４１ｂと当接しクリップ４１の水平方向への移動を規制するために、クリップ４１と接続されたシート状のヒーター１０は水平方向には移動することはできない。
【００３５】
即ちクリップ４１はシート状のヒーター１０の穴３３においてＳＵＳ板３２に着脱可能に接続されることで、電源から供給された電気をＳＵＳ板３２に伝達し、かつシート状ヒーター１０を固定している。上述したようにシート状ヒーター１０はピックアップローラ９が積載シート２に当接する部分には接触していないためピックアップローラ９によって給送されることはなく、さらにサイド規制板３に設けられているクリップ４１によって固定されているためピックアップローラ９によって送り出されるシートに連れられてシート状のヒーター１０が給送されることもない。
【００３６】
クリップ４１は、シート状ヒーター１０に着脱可能に接続されており、給紙カセット１１５にシートを新たにセットする場合には、クリップ４１とシート状ヒーター１０とを取り外し、シートをセットし終えてからシート表面に接触するようにシート状ヒーター１０とクリップ４１とを接続することが可能である。
【００３７】
また、クリップ４１はシート状ヒーター１０に着脱可能に接続されているので、元々積載されていたシートのサイズと異なるサイズのシートを積載する場合にも、そのシートのサイズに応じたシート状ヒーターに取り替えて取り付けることが可能である。積載シート２とシート状ヒーター１０との外形を略同じにしてシートの上面のほぼ全面と接触させることによって、シート状ヒーター１０による、吸湿を防ぐ防湿効果が向上する。
【００３８】
なお、クリップ４１のシート状ヒーター１０との接合面４１ａが粘着性を有することによりシート状ヒーター１０が着脱自在に接続される構成を示したが、この構成に限定されるものではなく、クリップ４１に着脱自在な嵌合部材を設け、シート状ヒーター１０をクリップ４１に対して着脱自在に接続してもよい。
【００３９】
また、クリップ４１はサイド規制板３に上下方向に形成された溝３ａに沿って上下に抵抗なく移動できるので、積載シート２の上面がどの位置にあっても、常にトップシートとシート状ヒーター１０とが接触している状態になる。さらに、クリップ４１は、不図示の螺旋状に巻かれた伸縮自在のコードで後述する装置本体の電源とつながっているため、給紙カセット１１５にセットされたシートの上面が上下に移動することによりクリップ４１が上下に移動したり、シート積載時にサイド規制板や後端規制板が動かされたりしてもコードが切れることなどの支障は生じない。
【００４０】
なお、１対に設けられたサイド規制板３のうちの他方のサイド規制板３についても同様に、サイド規制板３に設けられたクリップ４１がシート状ヒーター１０に接続されてシート状ヒーター１０を固定している。シート状ヒーター１０を固定するクリップ４１が１対のサイド規制板３の両方に設けられることにより、シート状ヒーター１０が安定して固定される。また、電源に接続されているクリップ４１は、２つのサイド規制板３のクリップ４１のうちどちらか一方である。
【００４１】
なお、一方のサイド規制板３のみにクリップ４１を設けてシート状ヒーター１０に接続する構成にしてもよい。この構成によるとサイド規制板３におけるクリップ４１が設けられている点を回動中心としてシート状ヒーター１０をめくることが可能になり、給紙カセット１１５の底板６上へのシートの出し入れが容易になる。
【００４２】
なお、以上の構成においてはシート状ヒーター１０に接続されるクリップ４１をサイド規制板３に設けたが、これに限定されるものではなく、後端規制板４や底板６などの、給紙カセット１１５が装置本体に収納された状態で積載シート２の近傍に位置するいずれの部材にクリップ４１などの固定手段を設けても良いことは言うまでもない。
【００４３】
図７は、給紙カセット１１５が収納されている状態でのシート給送装置の断面図である。装置本体１００Ａの電源５７と装置本体１００Ａに設けられたカセット収納部５１側のドロワコネクタ５２とが装置本体１００Ａ側のコード５８によって接続されている。また、給紙カセット１１５側のドロワコネクタ５３とシート状ヒーター１０とが給紙カセット１１５側のコード５６およびクリップ４１によって接続されている。
【００４４】
給紙カセット１１５が装置本体１００Ａのカセット収納部５１に収納されているときは、カセット収納部５１側のドロワコネクタ５２と給紙カセット１１５側のドロワコネクタ５３が結合されており、装置本体１００Ａ側のコード５８と給紙カセット１１５側のコード５６とが接続された状態になっているので、装置本体の電源５７からコード５６、５８及びクリップ４１を介してシート状のヒーター１０に設けられたＳＵＳ板３２に電気を供給することが可能である。
【００４５】
シート給送装置の側面に設けられたボタン５４を押すと給紙カセット１１５をカセット収納部５１から矢印５５の方向に取り出すことができる。そして、給紙カセット１１５を矢印５５側に移動し装置本体１００Ａから給紙カセット１１５を取り出す際に、カセット収納部５１側のドロワコネクタ５２と給紙カセット１１５側のドロワコネクタ５３とが分離され、装置本体１００Ａ側のコード５６と給紙カセット１１５側のコード５８との接続が切断される。
【００４６】
装置本体１００Ａから取り出された給紙カセット１１５を矢印５９の方向に動かしカセット収納部５１に収納する際には、カセット収納部５１側のドロワコネクタ５２と給紙カセット１１５側のドロワコネクタ５３とが結合し、給紙カセット１１５側のコード５６と装置本体１００Ａ側のコード５８とが接続される。なお、カセット収納部５１側のドロワコネクタ５２と給紙カセット１１５側のドロワコネクタ５３とによって本発明の接離可能な接続手段を構成している。
【００４７】
シート給送装置には、給紙カセット１１５に設けられたシート状のヒーター１０に電気を供給するか供給しないかを制御する制御手段Ｃが設けられている。底板６上に支持されたシートがコート紙やアート紙などの吸湿しやすいシートである場合に、吸湿しやすいシートがセットされた給紙カセット１１５に設けられたシート状のヒーター１０に電源５７から電気を供給するように制御手段Ｃが制御を行う。給紙カセット１１５にセットされたシートの種類の判別は、不図示の操作部からユーザが入力するようにしてもよいし、シートの種類を識別するシート種類センサＳを給紙カセット１１５に設けて自動的にシートの種類を検知する方法に依ってもよい。シート種類センサＳとしては、シート面に光を照射してその反射率によって判別するものでも、透過型センサによってシートの厚さからシート種類を判別するものでもよい。
【００４８】
（第２の実施の形態）
次に、本発明の第２の実施の形態として、画像形成装置の画像形成部に設けられる像担持体である感光ドラムを暖めるためのドラムヒーターとして本発明のシート状ヒーターを使用する場合を図８をもとにして説明する。なお、画像形成部については第１の実施の形態で説明したものと同様であるため詳細な説明は省略し、感光ドラムの構成について以下に詳述する。
【００４９】
図８は感光ドラムの構成を示した概略断面図であり、２０１は複写機等の画像形成装置の感光ドラムである。１９０は感光ドラムに設けられたシート状ヒーターである。シート状ヒーター１９０の構成は第１の実施の形態で説明したシート状ヒーターと同様である。シート状ヒーター１９０は、感光ドラム２０１の内面に取り付けられている。感光ドラム２０１の温度を略一定に保つためにシート状ヒーター１９０によって感光ドラム２０１が暖められる。２０２は感光ドラム２０１に設けられたサーミスタであり、感光ドラム２０１の温度を検知する。
【００５０】
シート状ヒーター１９０は電源２０３から電気が供給されることによって発熱する。サーミスタ２０２が検知した感光ドラム２０１の温度に応じて電源２０３からシート状ヒーター１９０に供給する電気の供給量を制御装置２０４が制御する。制御装置２０４は感光ドラム２０１の温度が略一定になるようにシート状ヒーター１９０への電気の供給量を制御する。感光ドラム２０１は温度によって特性が変化するために、感光ドラム２０１の温度を略一定とすることによって安定して画像が形成される。
【００５１】
第１の実施の形態で説明したようにシート状ヒーターは中央部に無発熱領域を有するために全面が発熱するものと比較して省電力化および低コスト化を達成することができる。
【００５２】
なお、上記実施の形態においては第１の実施の形態で説明したものと同様の構成のシート状ヒーターを使用する例を記したが、図９に示すように対向する２辺に沿った領域に発熱体であるＳＵＳ板１９２を配したシート状ヒーター１９１であっても省電力化を達することができる。図９に示したシート状ヒーター１９１も２枚のポリイミド樹脂シート１９３の間にＳＵＳ板１９２をはさみこんで接着したものである。
【００５３】
なお、上記実施の形態において、シート状ヒーター１９０は第１の実施の形態と同じく２枚のポリイミド樹脂シートの間にＳＵＳ板をはさみこんで接着してなるシート状ヒーターを示した。しかしながら、図１０に示すように２枚のポリイミド樹脂シート２３１における、ＳＵＳ板２３２が設けられていない中央部の無発熱領域に孔Ｈを形成したシート状ヒーター２１０であってもなんらその効果を損なうものではない。
【００５４】
なお、図９および図１０における１９４、２３３はポリイミド樹脂シートに形成した穴であり電源２０３とＳＵＳ板１９２、２３２とを接続するためのコードが通るためのものである。
【００５５】
なお、上記したいずれの実施の形態においても、シート状ヒーターの構成として２枚のポリイミド樹脂シートの間に発熱体であるＳＵＳ板を挟み込んで接着した構成を示した。しかしながらシート状の２枚の絶縁物の間に発熱体が設けられ２枚の絶縁物の対向面が接合されたものであればよい。また、シート状またはプレート状若しくはフィルム状の絶縁物によって金属箔で構成された発熱体が覆われたものであれば同等の効果が得られ、例えばポリイミド樹脂シートと金属箔とを一体に成形して金属箔をポリイミド樹脂シートに埋設したものであってもよい。
【００５６】
なお、上記したいずれの実施の形態においても、シート状ヒーターの構成としてポリイミド樹脂シートとＳＵＳ板とを用いる例を示したが、これに限られたものではない。即ち、ポリイミド樹脂シートの代わりにポリエチレンテレフタレート樹脂シート（ＰＥＴシート）やポリベンゾイミダゾール樹脂シート（ＰＢＩシート）等の絶縁物シートでも同等の効果が得られる。また、発熱体としてのＳＵＳ板の代わりにアルミ等の金属箔や、さらには網目状に織り込んだステンレス鋼繊維であっても同等の効果が得られる。
【００５７】
【発明の効果】
以上説明したように本発明によれば、シート状ヒーターの中央部に発熱体を配さない領域を設けることにより、シート状ヒーターの省電力化および低コスト化が実現できる。
【図面の簡単な説明】
【図１】本発明の画像形成装置の断面図。
【図２】本発明の第１の実施の形態におけるシート状ヒーターを備えたシート給送装置の断面図。
【図３】本発明の第１の実施の形態におけるシート状ヒーターが給紙されるのを防ぐ構成を示した上視図。
【図４】本発明の第１の実施の形態におけるシート状ヒーターの構成を示す上視図。
【図５】サイド規制板の構成を示す断面図。
【図６】サイド規制板の構成を示す断面図。
【図７】給紙カセットがカセット収納部に収納されている状態におけるシート給送装置の断面図。
【図８】本発明の第２の実施の形態におけるシート状ヒーターを感光ドラムに取付けた状態を示す断面図。
【図９】本発明の第２の実施の形態におけるシート状ヒーターの他の例を説明する上視図。
【図１０】本発明の第２の実施の形態におけるシート状ヒーターの他の例を説明する上視図。
【符号の説明】
２  積載シート
３  サイド規制板
３ａ  溝
３ｂ  リブ
４  後端規制板
５  先端規制板
６  底板
７  回動中心
８  リフトアップ機構
９  ピックアップローラ
１０  シート状ヒーター
１１  搬送ローラ
１２  分離ローラ
３１  ポリイミド樹脂シート
３２  ＳＵＳ板
３３  クリップが接続される穴
４１  クリップ
４１ａ  接合面
４１ｂ  突部
４３  貫通孔
５１  カセット収納部
５２  カセット収納部側のドロワコネクタ（装置本体側のコネクタ）
５３  給紙カセット側のドロワコネクタ（給紙カセット側のコネクタ）
５４  ボタン
５６  給紙カセット側のコード
５７  装置本体の電源
５８  装置本体側のコード
１１５  給紙カセット
１９０  シート状ヒーター
２０１  感光ドラム
２０２  サーミスタ
２０３  電源
２０４  制御装置
【図１】
2004221008.tif 000003
【図２】
2004221008.tif 000004
【図３】
2004221008.tif 000005
【図４】
2004221008.tif 000006
【図５】
2004221008.tif 000007
【図６】
2004221008.tif 000008
【図７】
2004221008.tif 000009
【図８】
2004221008.tif 000010
【図９】
2004221008.tif 000011
【図１０】
2004221008.tif 000012